(57)【要約】【課題】内容物が残った状態で机などの上に置いても問題がなく、また使い勝手にも優れる取り出し具、及びこの取り出し具を備える取り出し具付き容器を提案する。【解決手段】本発明は、持ち手部２と掬い部３とを備え、容器本体に収容した内容物を掬い部３で掬い取るための取り出し具であって、持ち手部２と掬い部３との相互間に、持ち手部２と掬い部３とを段差をもって連結する連結部４を備えることを特徴とする。【選択図】図１
2020069034.tif 000002
【特許請求の範囲】
【請求項１】
持ち手部と掬い部とを備え、容器本体に収容した内容物を該掬い部で掬い取るための取り出し具であって、
前記持ち手部と前記掬い部との相互間に、該持ち手部と該掬い部とを段差をもって連結する連結部を備える取り出し具。
【請求項２】
前記持ち手部の質量を、前記掬い部の質量よりも大きくしてなる請求項１に記載の取り出し具。
【請求項３】
前記掬い部及び前記連結部の少なくとも一つは、幅方向に突出する突起を有する請求項２に記載の取り出し具。
【請求項４】
前記持ち手部は、前記連結部から長さ方向に離れるに従って幅が狭くなる請求項２又は３に記載の取り出し具。
【請求項５】
前記連結部は、前記持ち手部の一端部に連結するとともに該持ち手部の他端部に向かって折り返す第一折り返し部と、前記掬い部の一端部に連結するとともに該掬い部の他端部に向かって折り返し、更に該第一折り返し部に連結する第二折り返し部と、を備える請求項１〜４の何れか一項に記載の取り出し具。
【請求項６】
請求項５に記載の取り出し具と、内容物を収容する収容空間を有する容器本体と、該容器本体に装着されて該収容空間を閉鎖するとともに該取り出し具を保持可能な蓋体とを備える取り出し具付き容器であって、
前記蓋体は、前記第一折り返し部及び前記第二折り返し部の何れか一方の外側を取り囲む凹部と、前記第一折り返し部及び前記第二折り返し部の何れか他方の内側に挿入される凸部とを備える取り出し具付き容器。
【請求項７】
前記蓋体は、前記凹部に向けて突出し、前記第一折り返し部及び前記第二折り返し部の何れか他方に設けた膨出部に係合する係合突起を有する請求項６に記載の取り出し具付き容器。
【請求項８】
前記凹部は、前記蓋体の全周に亘って延在する環状凹部であり、前記凸部は、該蓋体の全周に亘って延在する環状凸部である請求項６又は７に記載の取り出し具付き容器。
【発明の詳細な説明】
【技術分野】
【０００１】
本発明は、容器本体に収容した内容物を掬い取るための取り出し具、及びこの取り出し具を備える取り出し具付き容器に関する。
【背景技術】
【０００２】
従来、例えばクリーム状やゲル状の内容物（化粧料など）を容器本体から取り出すにあたっては、スプーンやへらのような形態をした取り出し具（スパチュラとも言う）が使用されている。例えば特許文献１には、容器本体の口部に環状板部を取り付け、この環状板部に設けた透孔に差し込むようにして保持されるスプーン状の取り出し具が示されている。また特許文献２には、容器本体と外蓋とで取り囲まれる空間内に中蓋を設け、この中蓋の上に載置できるようにした板状の取り出し具が示されている。
【先行技術文献】
【特許文献】
【０００３】
【特許文献１】特開２００４−３３１１０５号公報
【特許文献２】特開２００７−２２２１９３号公報
【発明の概要】
【発明が解決しようとする課題】
【０００４】
ところでこのような取り出し具を使用した後、これをそのまま机などの上に置くと、取り出し具に残った内容物が付着して、机などを汚してしまうおそれがある。また、机の上の埃や塵が取り出し具に残った内容物に付着することもあるため、衛生面でも問題がある。このため、特許文献１の如き取り出し具は、使用後は専ら取り付け用の透孔に差し込んでおかなければならず、手間を要していた。また特許文献２の如き取り出し具は、使用後は再び中蓋の上に載置することができるものの、容器本体と外蓋との内側に収容するためには比較的小さなサイズにしなければならず、持ちやすさの点で難があった。また板状であって厚みが薄いため、これを中蓋から摘まみ上げようとしても指で挟みにくいという問題があった。
【０００５】
本発明は、このような問題点を解決することを課題とするものであり、内容物が残った状態で机などの上に置いても問題がなく、また使い勝手にも優れる取り出し具、及びこの取り出し具を備える取り出し具付き容器を提供することを目的とする。
【課題を解決するための手段】
【０００６】
本発明は、持ち手部と掬い部とを備え、容器本体に収容した内容物を該掬い部で掬い取るための取り出し具であって、
前記持ち手部と前記掬い部との相互間に、該持ち手部と該掬い部とを段差をもって連結する連結部を備える取り出し具である。
【０００７】
前記持ち手部の質量を、前記掬い部の質量よりも大きくすることが好ましい。
【０００８】
前記掬い部及び前記連結部の少なくとも一つは、幅方向に突出する突起を有することが好ましい。
【０００９】
前記持ち手部は、前記連結部から長さ方向に離れるに従って幅が狭くなることが好ましい。
【００１０】
前記連結部は、前記持ち手部の一端部に連結するとともに該持ち手部の他端部に向かって折り返す第一折り返し部と、前記掬い部の一端部に連結するとともに該掬い部の他端部に向かって折り返し、更に該第一折り返し部に連結する第二折り返し部と、を備えることが好ましい。
【００１１】
また本発明は、上述した取り出し具と、内容物を収容する収容空間を有する容器本体と、該容器本体に装着されて該収容空間を閉鎖するとともに該取り出し具を保持可能な蓋体とを備える取り出し具付き容器であって、
前記蓋体は、前記第一折り返し部及び前記第二折り返し部の何れか一方の外側を取り囲む凹部と、前記第一折り返し部及び前記第二折り返し部の何れか他方の内側に挿入される凸部とを備える取り出し具付き容器でもある。
【００１２】
前記蓋体は、前記凹部に向けて突出し、前記第一折り返し部及び前記第二折り返し部の何れか他方に設けた膨出部に係合する係合突起を有することが好ましい。
【００１３】
前記凹部は、前記蓋体の全周に亘って延在する環状凹部であり、前記凸部は、該蓋体の全周に亘って延在する環状凸部であることが好ましい。
【発明の効果】
【００１４】
本発明に従う取り出し具は、持ち手部と掬い部との相互間に、段差をもってこれらを連結する連結部を備えているため、机などの上に載置する際、掬い部に対して持ち手部が下方に位置する姿勢で置くことによって、掬い部と机との接触を避けることができる。すなわち、取り出し具を使用した後に机などの上に置いても、掬い部に残った内容物が机に付着することがなく、また机の上の埃や塵が掬い部の内容物に付着することもない。また掬い部が机から浮いた状態になっているため、机の上に置いた取り出し具を摘まみ上げる際も指で挟みやすく、楽に摘まむことができる。なお、掬い部に対して持ち手部が上方に位置する姿勢で置く場合も、持ち手部の端部と連結部が机に当接するように傾けて載置して掬い部を浮かした状態にすることができるため、掬い部と机との接触を避けることができる。
【００１５】
そしてこのような取り出し具を備える取り出し具付き容器の発明においては、取り出し具の連結部に上述した第一折り返し部と第二折り返し部を設け、蓋体には上述した凹部と凸部を設けることによって、第一折り返し部及び第二折り返し部の何れか一方を凹部で保持し、第一折り返し部及び第二折り返し部の何れか他方を凸部で保持することができるため、取り出し具を蓋体に安定的に保持することができる。
【図面の簡単な説明】
【００１６】
【図１】本発明に従う取り出し具の第一実施形態を示す図であって、（ａ）は正面図であり、（ｂ）は側面図である。
【図２】図1に示す取り出し具を備える取り出し具付き容器を示す図であって、（ａ）は平面図であり、（ｂ）は側面視での半断面図である。
【図３】図２（ｂ）における取り出し具の連結部周辺を示した部分拡大図である。
【図４】図２（ｂ）に示す状態に対して、取り出し具を逆向きにして蓋体に装着した状態を示した半断面図である。
【図５】図１の取り出し具を机に載置した状態を示す図であって、（ａ）は掬い部に対して持ち手部が下方に位置する姿勢で載置した状態であり、（ｂ）は掬い部に対して持ち手が上方に位置する姿勢で載置した状態である。
【図６】本発明に従う取り出し具の第二実施形態を示す図であって、（ａ）は正面図であり、（ｂ）は側面図であり、（ｃ）は横向きにした姿勢で机に載置した状態を示す図である。
【図７】本発明に従う取り出し具の第三実施形態を示す図であって、（ａ）は正面図であり、（ｂ）は側面図であり、（ｃ）は横向きにした姿勢で机に載置した状態を示す図である。
【発明を実施するための形態】
【００１７】
以下、図面を参照しながら本発明に従う取り出し具の第一実施形態について説明する。
【００１８】
図１に示すように本実施形態の取り出し具１は、使用時において指で摘まむ部位となる持ち手部２と、内容物を掬い取るために用いられる掬い部３と、持ち手部２と掬い部３とを一体的に連結する連結部４を備えるものである。
【００１９】
持ち手部２は、概略矩形板状に形作られるものである。本実施形態の持ち手部２は、図１（ａ）に示すように、一端部（持ち手部一端部）５から他端部（持ち手部他端部）６に向かって幅が広がるように形成されている。また持ち手部２の厚みは、図１（ｂ）に示すように、持ち手部一端部５から持ち手部他端部６に向かって厚くなるように形成されている。
【００２０】
掬い部３は、持ち手部２と同様に概略矩形板状に形作られるものであるが、その長さは持ち手部２よりも短くなっている。またその幅は、一端部（掬い部一端部）７から他端部（掬い部他端部）８にかけて略一定となっている。更に掬い部３には、掬った内容物を溢れにくくするために厚み方向に凹ませた凹み部９が設けられている。
【００２１】
連結部４は、図１（ｂ）に示すように、側面視において持ち手部２と掬い部３とを段差をもって連結するものである。本実施形態の連結部４は、持ち手部一端部５に一体的に連結するとともに持ち手部他端部６に向かって折り返す第一折り返し部１０と、掬い部一端部７に一体的に連結するとともに掬い部他端部８に向かって折り返す第二折り返し部１１とを備えていて、第一折り返し部１０と第二折り返し部１１は一体的に連結している。また第一折り返し部１０の外面には、図３に示すように掬い部３に向かって膨出する第一膨出部１２が設けられていて、第二折り返し部１１の外面には、持ち手部２に向かって膨出する第二膨出部１３が設けられている。
【００２２】
なお、上述したように持ち手部２は、掬い部３よりも長さが長く、また幅や厚みも大きいため、その質量は掬い部３よりも大きくなっている。
【００２３】
このような形態になる取り出し具１は、図２に示すような取り出し具付き容器に使用することができる。図示した取り出し具付き容器は、上述した取り出し具１の他、容器本体１４、蓋体１５、パッキン１６を備えるものである。
【００２４】
容器本体１４は、広口で所謂ジャー容器と称される形態をなすものである。本実施形態の容器本体１４は、円板状の底壁１７と、底壁１７の外縁部から起立する円筒状の周壁１８と、周壁１８の上端部外周面に設けられた雄ねじ部１９とを備えるものである。そして底壁１７と周壁１８の内側には、内容物を収容するための収容空間Ｓが形成されている。
【００２５】
蓋体１５は、容器本体１４に対して着脱自在に装着されるものである。本実施形態の蓋体１５は、円板状の天壁２０と、天壁２０に一体的に連結するとともに周壁１８の上端部を取り囲む外周壁２１と、外周壁２１の内周面に設けられた雌ねじ部２２とを備えている。また天壁２０は、その外縁部において、蓋体１５の内側に向けて凹むとともに全周に亘って延在する環状凹部２３を備えている。そして外周壁２１は、上方に向けて起立するとともに全周に亘って延在する環状凸部２４を備えている。また外周壁２１は、図３に示すように、環状凸部２４の上端部から環状凹部２３に向けて（径方向内側に向けて）突出する突起（係合突起）２５を備えている。なお係合突起２５も、全周に亘って延在している。
【００２６】
パッキン１６は、概略円板状をなすものであり、軟質材で形成されている。本実施形態のパッキン１６は、蓋体１５に抜け止め保持されるものであり、蓋体１５に取り付けた後は、蓋体１５と一緒になった一体物として取り扱うことができる。そして、容器本体１４の雄ねじ部１９に蓋体１５の雌ねじ部２２をねじ込むことにより、図２（ｂ）に示すようにパッキン１６は、容器本体１４の周壁１８と蓋体１５の環状凹部２３によって挟持されるため、収容空間Ｓを気密に維持することができる。
【００２７】
このような蓋体１５に対して取り出し具１は、図２に示すように、掬い部３を下方に向けた姿勢で取り付けることができる。このとき、第一折り返し部１０の外側は、環状凹部２３によって径方向内外に取り囲まれ、また第二折り返し部１１の内側には、環状凸部２４が挿入されるため、取り出し具１は安定的に保持される。特に本実施形態では、図３に示すように、蓋体１５の係合突起２５が取り出し具１の第一膨出部１２に係合するため、取り出し具１が不用意に外れることはなく、より安定的に保持することができる。また、環状凹部２３と環状凸部２４は、蓋体１５の全周に亘って設けられているため、蓋体１５の向きを気にすることなく、周方向の何れの位置でも取り出し具１を取り付けることができる。
【００２８】
ところで、蓋体１５に取り出し具１を取り付けるにあたっては、図４に示すように、持ち手部２を下方に向けた姿勢で取り付けることもできる。このとき、第二折り返し部１１の外側は、環状凹部２３によって径方向内外に取り囲まれ、また第一折り返し部１０の内側には、環状凸部２４が挿入される。従って、この場合も取り出し具１は安定的に保持される。また図示は省略するが、この状態では蓋体１５の係合突起２５が取り出し具１の第二膨出部１３に係合するため、図３に示した状態と同様に、取り出し具１が不用意に外れることはない。
【００２９】
取り出し具１は、蓋体１５に取り付けるだけでなく、図５に示すように机Ｄなどの上に載置することもできる。ここで、図５（ａ）に示すように、掬い部３に対して持ち手部２が下方に位置する姿勢で机Ｄの上に置く場合は、掬い部３が机Ｄから浮いた状態になるため、内容物が掬い部３に残っていても、机Ｄに内容物が付着することがない。また、机Ｄの上に埃や塵があっても、掬い部３に付着することもない。更に、掬い部３が机Ｄから浮いた状態になっているため、机Ｄから取り出し具１を摘まみ上げる際も指で挟みやすく、楽に摘まむことができる。特に、本実施形態においては、掬い部３に対して持ち手部２の質量が大きいため、図５（ａ）に示す姿勢で安定して机Ｄに載置することができる。
【００３０】
なお取り出し具１を、掬い部３に対して持ち手部２が上方に位置する姿勢で机Ｄの上に置く場合は、図５（ｂ）に示すように、持ち手部他端部６と第二折り返し部１１が机Ｄに当接するように傾けて載置することが好ましい。これにより、図示したように掬い部３が机Ｄから浮いた状態になるため、掬い部３と机Ｄとの接触を避けることができる。特に本実施形態においては、掬い部３に対して持ち手部２の質量が大きいため、図５（ｂ）に示す姿勢で安定して机Ｄに載置することができる。
【００３１】
本発明に従う取り出し具は、図１に示した取り出し具１の如きものに限られず、図６に示す取り出し具３１のように構成してもよい。なお、以下の説明において、上述した部位と形状や機能が発明として共通するものは、図面に同一の符号を付して説明は省略する。
【００３２】
図６に示す取り出し具３１は、上述した持ち手部２に替えて、持ち手部３２を備えるものである。持ち手部３２は、図６（ｂ）に示すように、持ち手部一端部５から持ち手部他端部６に向かって厚みが厚く、また掬い部３よりも長さが長い点は前述の持ち手部２と同様であるが、図６（ａ）に示すように、持ち手部一端部５から持ち手部他端部６に向かって幅が略一定である点が相違する。なお、持ち手部３２の質量も、掬い部３より大きくなっている。また取り出し具３１は、掬い部３から幅方向両側に突出する突起３３を備えている。
【００３３】
このような取り出し具３１は、上述した取り出し具１と同様に、図５（ａ）、（ｂ）に示す姿勢で机Ｄの上に置くことも可能であるが、図６（ｃ）に示すように、横向きにして置くこともできる。この場合は、図示したように机Ｄに対し、持ち手部他端部６の幅方向端部と突起３３が当接することで、掬い部３が机Ｄから浮いた状態になる。従ってこのような姿勢で机Ｄの上に載置しても、掬い部３に残った内容物が机Ｄに付着することはなく、また机Ｄの埃や塵が掬い部３に付着することもない。
【００３４】
また本発明に従う取り出し具は、図７に示す取り出し具４１であってもよい。ここで取り出し具４１は、上述した持ち手部２に替えて、持ち手部４２を備えるものである。持ち手部４２は、図７（ｂ）に示すように、持ち手部一端部５から持ち手部他端部６に向かって厚みが厚く、また掬い部３よりも長さが長い点は前述の持ち手部２と同様であるが、図７（ａ）に示すように、持ち手部一端部５から持ち手部他端部６に向かって幅が狭くなる点が相違する。なお、持ち手部４２の質量も、掬い部３より大きくなっている。
【００３５】
このような取り出し具４１も、図５（ａ）、（ｂ）に示す姿勢で机Ｄの上に置くことが可能であるが、図７（ｃ）に示すように、横向きにして置くこともできる。この場合、図示したように机Ｄに対して持ち手部４２の側面が全面的に当接することによって、掬い部３は机Ｄから浮いた状態になる。従ってこのような姿勢で机Ｄに載置しても、掬い部３に残った内容物が机Ｄに付着するなどの不具合が生じることはない。
【００３６】
以上、本発明について具体的な実施形態を示しながら説明したが、本発明に従う取り出し具、及び取り出し具付き容器は上述した実施形態に限られるものではなく、特許請求の範囲に従う範疇で種々の変更を加えたものも含まれる。例えば取り出し具の連結部は、持ち手部と掬い部とを直線的に連結する（例えば図１（ｂ）に示す実施形態では、側面視において、持ち手部２、連結部４、掬い部３が全体としてクランク状になるようにつながる）ものでもよい。また、図６に示す突起３３は、連結部４から幅方向に突出するように設けてもよい。また突起３３は、図７に示す取り出し具４１に設けてもよい。そして蓋体１５に設けた環状凹部２３及び環状凸部２４は、全周に亘って設けずに、周方向の一部に設けてもよい。
【符号の説明】
【００３７】
１：取り出し具
２：持ち手部
３：掬い部
４：連結部
５：持ち手部一端部（一端部）
６：持ち手部他端部（他端部）
７：掬い部一端部（一端部）
８：掬い部他端部（他端部）
９：凹み部
１０：第一折り返し部
１１：第二折り返し部
１２：第一膨出部
１３：第二膨出部
１４：容器本体
１５：蓋体
１６：パッキン
１７：底壁
１８：周壁
１９：雄ねじ部
２０：天壁
２１：外周壁
２２：雌ねじ部
２３：環状凹部
２４：環状凸部
２５：係合突起
３１：取り出し具
３２：持ち手部
３３：突起
４１：取り出し具
４２：持ち手部
Ｄ：机
Ｓ：収容空間
【図１】
2020069034.tif 000003
【図２】
2020069034.tif 000004
【図３】
2020069034.tif 000005
【図４】
2020069034.tif 000006
【図５】
2020069034.tif 000007
【図６】
2020069034.tif 000008
【図７】
2020069034.tif 000009